(57)【要約】  【課題】組立式の額縁であって板バネを用いることなく額縁フレームを前面開閉式とすることによって加工及び取付作業の手間を省き、またきしみ音の発生をなくし、さらに絵画等や透明板を取り出す作業を容易にした額縁を提供する。  【解決手段】額縁に設けられた裏板６の各辺を挟持する下部フレーム５の長手方向に沿って上方へ開放した連続溝１７が形成され、該下部フレーム５の連続溝１７の端部にコーナー継手２の両肩に突出された夫々の継手片３０を挿着して固定すると共に下部フレーム５の外側縁に回動自在に枢設された上部フレーム４を開閉自在とする額縁において、下部フレーム５の連続溝１７に摺動自在にストッパピース１８を挿着する一方、上部フレーム４の内側に突出形成されたストッパ係止片２５が上部フレーム４を閉じた状態におけるストッパピース１８の側部に係止されることによって上部フレーム４を閉じた状態に保持するようにした。【選択図】図２
2005168945.tif 000002
【特許請求の範囲】
【請求項１】
額縁に設けられた裏板の各辺を挟持する下部フレームの長手方向に沿って上方へ開放した連続溝が形成され、該下部フレームの連続溝の端部にコーナー継手の両肩に突出された夫々の継手片を挿着して固定すると共に前記下部フレームの外側縁に回動自在に枢設された上部フレームを開閉自在とする額縁において、前記下部フレームの連続溝に摺動自在にストッパピースを挿着する一方、前記上部フレームの内側に突出形成されたストッパ係止片が前記上部フレームを閉じた状態における前記ストッパピースの側部に係止されることによって前記上部フレームを閉じた状態に保持するようにしたことを特徴とする額縁。
【請求項２】
前記コーナー継手の上部に被せ部材が設けられ、これらのコーナー継手と被せ部材との内側角部に凹部を有すると共に、前記コーナー継手の上部にて額縁の対角線方向に形成された凹溝に前記被せ部材の下部に形成された垂下片がスライド自在に嵌合されたことによって、該被せ部材を額縁のコーナーから外方へ移動することにより前記額縁に収納した絵画等を取り出し易くしたことを特徴とする請求項１記載の額縁。
【請求項３】
前記コーナー継手の上部にスライド自在に設けられた被せ部材を額縁のコーナーの内方へ移動した状態において、該被せ部材の内側凹部付近の両側に形成された突起が、閉じた状態における前記上部フレームの内側縁に沿って形成された屈曲片を係止するようにしたことを特徴とする請求項１または２記載の額縁。
【発明の詳細な説明】
【技術分野】
【０００１】
本発明は、組立式の額縁であって、額縁のコーナーにコーナー継手を有する各フレームを前方に開くことによって絵画、書画、写真、ポスター等（以下「絵画等」と云う）の取替えを行うようにした額縁に関するものである。
【背景技術】
【０００２】
従来の組立式額縁には種々の形態がある。その一つに、四辺を成す夫々の額縁フレームを前方に開くことによって絵画等の取替えを行う額縁がある。そのような具体例を図１３〜図１７に示してある。なお、図１３は四辺の額縁フレームを前方に開いた状態を示す平面図である。
【０００３】
この額縁は、図１３に示すように額縁フレーム５１を四辺に配し、各額縁フレーム５１を四方のコーナー継手５２で連結したものである。このような額縁フレーム５１を図１４に示す閉じた状態から図１５（この図において、一方の額縁フレームは取り除いてある）に示す開いた状態にすると、図１３に示すように各額縁フレーム５１が開放された状態になる。
【０００４】
夫々の額縁フレーム５１は、図１６または図１７に示すように上部フレーム５３と下部フレーム５４とから成り、下部フレーム５４の外側縁に形成された係止突起５５を上部フレーム５３の外側縁に形成された断面Ｃ形の保持片５６で把持する。一方、上部フレーム５３の内側に形成されたガイドレール５７の途中を切込加工して受け溝５８を形成し、この受け溝５８に板バネ５９の一端を嵌合すると共に、板バネ５９の他端を上部フレーム５３の内側縁に形成した断面Ｖ形溝６０に差込んで係止している。また、下部フレーム５４の内側には支持片６２と挟持片６３とを形成してあり、支持片６２で裏板６０を支持すると共に挟持片６３で裏板６０を挟持するようにしている。
【０００５】
このような構成において、板バネ５９は上部フレーム５３の内側にて屈曲した形状に取り付けられ、図１６に示すように上部フレーム５３を閉じたときは、板バネ５９の湾曲変形による弾性力が上部フレーム５３を閉じた状態に保ち、図１７に示すように上部フレーム５３を開いたときは、板バネ５９の湾曲変形による弾性力が上部フレーム５３を開いた状態に保つように作用する。
【０００６】
ところが、上記の額縁においては、図１３に示すように、四方の角部に設けられたコーナー継手５２が内側に突出した鋭利な角部５２ａを有し、夫々の角部５２ａが裏板６０の上面に設けられた絵画６４等或いはその上の透明板６５の角部を上方から覆うため、四辺の上部フレーム５３、５３…を開いて絵画６４等の交換を行う際に、夫々の角部５２ａが透明板６５或いは絵画６４等を取り出す作業の邪魔になって取り出し難いという欠点があった。
【０００７】
また、下部フレーム５４に板バネ５９を挿着している箇所は、上記のようにガイドレール５７の途中に切込加工された受け溝５８であるため、この切込加工に手間がかかり、また板バネ５９を受け溝５８及び断面Ｖ形溝６０に嵌め込む作業に手間がかかり、さらには上部フレーム５３を開閉する際に板バネ５９のきしみ音が発生するという欠点があった。
【０００８】
さらに、他の従来技術として特許文献１の額縁を図１８に示す。この文献における額縁もまた上記の構造と同様に、台紙７０や透明板７１を挟持した台紙固定部７２の外側縁に形成された回動中心７３を装飾可動部７４の回動部７５で保持することにより、装飾可動部７４の開閉状態を板バネ７６の弾性力で支持するという構造を有しているため、板バネ７６の取付作業が面倒であり、或いは板バネ７６のきしみ音が発生する等、上記と同様の欠点を有するものである。
【特許文献１】特開２００３−１３５２３１号公報（第１頁、図５）
【発明の開示】
【発明が解決しようとする課題】
【０００９】
本発明は、上記の事情に鑑みてなされたもので、組立式の額縁であって板バネを用いることなく額縁フレームを前面開閉式とすることによって加工及び取付作業の手間を省き、またきしみ音の発生をなくし、さらに絵画等や透明板を取り出す作業を容易にした額縁を提供することを目的とする。
【課題を解決するための手段】
【００１０】
上記目的を達成するために、本発明における請求項１の額縁は、額縁に設けられた裏板の各辺を挟持する下部フレームの長手方向に沿って上方へ開放した連続溝が形成され、該下部フレームの連続溝の端部にコーナー継手の両肩に突出された夫々の継手片を挿着して固定すると共に前記下部フレームの外側縁に回動自在に枢設された上部フレームを開閉自在とする額縁において、前記下部フレームの連続溝に摺動自在にストッパピースを挿着する一方、前記上部フレームの内側に突出形成されたストッパ係止片が前記上部フレームを閉じた状態における前記ストッパピースの側部に係止されることによって前記上部フレームを閉じた状態に保持するようにしたことを特徴とする。
【００１１】
また、請求項２の発明は、請求項１において、前記コーナー継手の上部に被せ部材が設けられ、これらのコーナー継手と被せ部材との内側角部に凹部を有すると共に、前記コーナー継手の上部にて額縁の対角線方向に形成された凹溝に前記被せ部材の下部に形成された垂下片がスライド自在に嵌合されたことによって、該被せ部材を額縁のコーナーから外方に遠ざかる方向へ移動することにより前記額縁に収納した絵画等を取り出し易くしたことを特徴とする。
【００１２】
さらに、請求項３の発明は、請求項１または２において、前記コーナー継手の上部にスライド自在に設けられた被せ部材を額縁のコーナーの内方へ移動した状態において、該被せ部材の内側凹部付近の両側に形成された突起が、閉じた状態における前記上部フレームの内側縁に沿って形成された屈曲片を係止するようにしたことを特徴とする。
【発明の効果】
【００１３】
本発明の額縁は、夫々のコーナー継手と夫々の額縁フレームとを連結することによって完成された額縁を得る組立式額縁であって、夫々の額縁フレームの上部フレームを前方に開くことによって絵画等の取替えを行うことができる前面開閉式であるため、額縁を壁にかけた状態で絵画等の取替えを行ったり、額縁を裏返すことなく表側から絵画等の取替えを行うことができる。
【００１４】
このような本発明の額縁において、上部フレームを閉じた状態を保持するためにストッパピースを使用した構造としてあるため、従来の額縁において使用されていた板バネが不要となり、板バネを取り付けるための額縁フレームへの切込加工及び取付け作業が必要なく、また上部フレームの開閉の際の板バネのきしみ音が発生しない等の利点を有する。
【００１５】
しかも、本発明のストッパピースは、下部フレームの連続溝に端部から挿入して取り付けるものであり、必要に応じて１個または複数個を取付けた状態で連続溝に沿うスライド移動が可能であり、例えば長尺の額縁フレームにおいては、連続溝に２個さらにはそれ以上の個数のストッパピースを適所に取り付けることによって、上部フレームを閉じた状態における確実な保持が可能となる。
【００１６】
また、本発明においては、コーナー継手の上部に被せ部材が設けられ、これらのコーナー継手と被せ部材との内側角部に凹部を有すると共に、被せ部材を額縁のコーナーから外方へ移動することができるため、絵画等を交換する際の作業において、透明板等の角部がコーナー継手の内側角部に引っかかることなく、容易に取り出し及び取り付け作業を行うことができる。
【００１７】
さらに、本発明においては、被せ部材の内側凹部付近の両側に形成された突起が、閉じた状態における上部フレームの屈曲片を係止するようにしてあるため、上部フレームの両端部を閉じた状態に確実に保持することができる。しかも、被せ部材を外方へ移動しないかぎり、上部フレームを開く動作を阻止することができる安全機構として有用となる。
【発明を実施するための最良の形態】
【００１８】
以下、本発明の実施例について図面を参照しながら説明する。
【実施例１】
【００１９】
本実施例による額縁は、図１（額縁の全体について上部フレームを開いた平面図）に示すように、四方の角部をコーナー継手２で連結した額縁フレーム３を四辺に有し、夫々の額縁フレーム３は上部フレーム４と下部フレーム５とから成り、下部フレーム５の内側には裏板６とその上に挟持した絵画８等、さらにはガラスまたは透明合成樹脂等による透明板７とを挟持し、透明板７を前方から取り外すことによって絵画８等を収納し、また交換することができる。
【００２０】
これらの上部フレーム４と下部フレーム５は、夫々の端部が直角に形成された長尺形状を有するアルミニウム等の金属部材からなり、また硬質の合成樹脂等から形成することも可能である。
【００２１】
下部フレーム５の断面状況について説明すると、図６または図７に示すように、下部フレーム５における平面状のベース部１１には額縁の内側に沿って延長片１２が形成され、該延長片１２で額縁の裏板６の各辺を支持することができ、さらにこの延長片１２の手前側に形成された立上片１３の内側に沿って、裏板６を挿着する隙間を有する断面Ｌ字形の挟持片１４が形成されている。
【００２２】
また、上記の立上片１３の上端から額縁の外側に沿って張り出した内周係止縁１５が形成され、ベース部１１の外側寄りに突出した上端から額縁の内側に向けて断面Ｌ字形に折曲した外周係止縁１６が形成されている。これらの内周係止縁１５と外周係止縁１６との間に形成された連続溝１７が下部フレーム５の長手方向に沿って上方へ開放された所定幅の隙間を有し、該連続溝１７に後述するストッパピース１８が挿着されている。
【００２３】
また、下部フレーム５のベース部１１の外側縁の近傍から立ち上がりつつ外側に向けて湾曲する回動案内片１９が円弧状に形成され、該回動案内片１９の上部から外側下方に向けて係止突起２０が形成され、該係止突起２０の先端膨出部２１を上部フレーム４に形成された保持片２２で回動自在に把持するようにしている。
【００２４】
即ち、上部フレーム４は下部フレーム５を覆う幅の長尺平板形状を有し、外側縁に沿ってＬ字形の折曲側部２３が形成されている。この折曲側部２３の内側に沿って断面Ｃ字形の保持片２２が形成され、該保持片２２が上部フレーム４の係止突起２０の先端膨出部２１を回動自在に把持するようにしている。また、上部フレーム４の折曲側部２３の途中から内側に円弧形に湾曲してなる回動片２４が突出形成され、上部フレーム４が開閉動作するとき、この回動片２４が下部フレーム５の回動案内片１９の上側に沿って摺動状態を保ちながら回動することにより、上部フレーム４が脱落することなく開閉動作することを可能としている。
【００２５】
さらに、この上部フレーム４の回動片２４の先端近傍には上部フレーム４の上面に沿って略平行に突出するストッパ係止片２５が形成されている。上部フレーム４を閉じたとき、このストッパ係止片２５が下部フレーム５の連続溝１７に挿着されたストッパピース１８の側面１８ａをやや押圧しつつ当接することにより、この上部フレーム４の閉じた状態を確実に保持することができる。
【００２６】
上記のストッパピース１８は、図５に示すように、やや長形の環状をなす形状に形成され、底部には補強のためのフランジ部１８ｂ（図６参照）が設けられている。このストッパピース１８の片側上部には切欠状の上方段部１８ｃが形成され、また反対側下部には突出状の下方段部１８ｄが形成されている。このストッパピース１８は、図６に示すように、下部フレーム５の連続溝１７の形状に適合するように、ストッパピース１８の上方段部１８ｃが下部フレーム５の内周係止縁１５に係止され、ストッパピース１８の下方段部１８ｄが下部フレーム５の外周係止縁１６に係止される寸法関係に形成されている。
【００２７】
また、ストッパピース１８は、図２に示すように額縁の角部のコーナー継手２を下部フレーム５から取り外した状態で、この下部フレーム５の端部から連続溝１７に挿入することによって嵌合される。ただし、ストッパピース１８を連続溝１７に挿着した状態で、長手方向へ強く押すことによってスライド移動することができる。従って、本発明においては、下部フレーム５或いは上部フレーム４に全く加工を施すことなく、一辺の下部フレーム５の連続溝１７に１個のストッパピース１８を挿着したり、必要に応じて複数のストッパピース１８を取り付けることが可能である。
【００２８】
さらにまた、上部フレーム４の内側縁に沿って内側方向に湾曲された屈曲片２６が形成されている。この屈曲片２６は、図７に示すように、閉じた状態における上部フレーム４の屈曲片２６が裏板６の上部に載置された透明板７の辺部を上方から押さえつけて、四辺の額縁フレーム３内に透明板７或いは絵画８等を固定するために機能する。さらに、この上部フレーム４の屈曲片２６は、後述するようにコーナー継手２の被せ部材２８に形成された両肩の突起２９、２９を係止するための安全機構としても機能するものである。
【００２９】
上記の夫々の下部フレーム５は、図３に示すように、角部に配設されたコーナー継手２によって互いに連結される（図４参照）。図２において、夫々のコーナー継手２の内側角部に隣接した両肩には、下部フレーム５の連続溝１７に嵌合する継手片３０が突出形成され、夫々の継手片３０を下部フレーム５の端部から連続溝１７に挿着した後、各継手片３０に形成した貫通孔３０ａ及び下部フレーム５の端部付近に形成した連続穴５ａにリベット３１を挿入して頭部をかしめることによって固定する。なお、このとき額縁のコーナーを補強するために、コーナー継手２の下方にＬ字形の補強板３２を当て、この補強板３２に形成してある貫通穴３２ａに上記のリベット３１を挿通して同時にかしめるようにしてもよい。
【００３０】
図２に示すように、コーナー継手２の上部には被せ部材２８が設けられている。この被せ部材２８は、コーナー継手２の上方から覆い被さるように取り付けられるもので、コーナー継手２の平面形状とほぼ同様の形状を有すると共に、外側の隣設二辺に垂下片２８ａが設けられた形状とされている。
【００３１】
さらに、これらのコーナー継手２と被せ部材２８との内側角部には凹部２ｂ、２８ｂが形成され、透明板７を取り外して絵画８等を収納または交換する際に、透明板７或いは絵画８等の角部がコーナー継手２及び被せ部材２８の内側角部に引っかからないようにこの角部を取って凹部２ｂ、２８ｂの切欠形状にしたものである。
【００３２】
また、図２に示すように、コーナー継手２の上部にて額縁の対角線方向に凹溝３３が形成され、この凹溝３３に、図８または図９に示すように被せ部材２８の下部に形成された一対の垂下片３４がスライド自在に嵌合されている。この被せ部材２８の下部に形成された垂下片３４はコーナー継手２の凹溝３３の内径に嵌合する二片を有し、夫々の垂下片３４の下端部には両方の外側に突出した係止凸部３４ａが形成され、各係止凸部３４ａがコーナー継手２の凹溝３３の下端部に形成された凹部３５に係止される構造とされている。このような構造により、被せ部材２８を額縁のコーナーから外方へ移動したり、内方へ移動することができ、この被せ部材２８を外方へ移動することにより、透明板７或いは絵画８等を取り出しやすくしている。
【００３３】
さらに、図２に示すように、被せ部材２８の凹部２８ｂ付近の両側に突起２９が形成され、閉じた状態における上部フレーム４の内側縁の屈曲片２６が夫々の突起２９を係止することにより、図１０に示すように、閉じた状態における上部フレーム４の端部を固定状態に係止するようにしている。また、この被せ部材２８を外方へ移動しないかぎり、上部フレーム４の係止状態が解除されないため、この被せ部材２８の突起２９が上部フレーム４の開動作の安全機構として機能する。
【００３４】
この額縁に絵画８等を収納したり、交換したりする作業は、図１０に示すように、上部フレーム４を閉じた状態から開ける前に、図１１に示すように被せ部材２８を外方へ移動することによって、上部フレーム４の屈曲片２６に係止された突起２９の係止状態を解除する。次いで、図１２に示すように、夫々の上部フレーム４を開けることによって、上部フレーム４の屈曲片２６による透明板７の押えを解除し、透明板７を取り出して絵画８等の収納或いは交換をすることができる。このとき、被せ部材２８を外方へ移動してあるため、透明板７または絵画８等の角部が被せ部材２８の凹部２８ａにあたらず、容易に取り出すことができる。
【産業上の利用可能性】
【００３５】
以上説明したように、本発明の額縁は組立式の額縁であって、夫々の額縁フレームの上部フレームを前方に開くことによってガラス等の透明板を取り出し、容易に絵画等の取替えを行うことができる前面開閉式の額縁として利用することができる。また、従来のように板バネを使用することなく、そのための取付加工及び取付作業が必要なく、さらには板バネのきしみ音もなく、スムーズに開閉できる額縁フレームであって、上部フレームを不意に開くことを阻止し得る安全機能を有し、ガラス等の透明板の取り出し、及び絵画等の取替えがコーナー継手の角部で阻止されることなく容易且つ円滑に行える額縁として利用することが可能である。
【図面の簡単な説明】
【００３６】
【図１】本発明による額縁の上部フレームを開いた状態における全体平面図である。
【図２】本発明の額縁におけるコーナー継手の周辺を示す分解斜視図である。
【図３】本発明の額縁におけるコーナー継手の周辺を示す斜視図であって、上部フレームを開いた状態を示す。
【図４】本発明の額縁におけるコーナー継手の周辺を示す斜視図であって、上部フレームを閉じた状態を示す。
【図５】本発明によるストッパピースの斜視図である。
【図６】図３のＡ−Ａ線矢視断面図であり、上部フレームを開いた状態を示す。
【図７】図３のＡ−Ａ線矢視断面図であり、上部フレームを閉じた状態を示す。
【図８】図３のＢ−Ｂ線矢視断面図であり、被せ部材を取り付ける前の状態を示す。
【図９】図３のＢ−Ｂ線矢視断面図であり、被せ部材を取り付けた後の状態を示す。
【図１０】本発明による額縁を分解する際の手順を示す平面図であり、上部フレームを閉じた状態を示す。
【図１１】本発明による額縁を分解する際の手順を示す平面図であり、コーナー継手を外側へ移動した状態を示す。
【図１２】本発明による額縁を分解する際の手順を示す平面図であり、上部フレームを開いた状態を示す。
【図１３】従来の額縁の上部フレームを開いた状態における全体平面図である。
【図１４】従来の額縁のコーナー部を示す部分斜視図である。
【図１５】従来の額縁のコーナー部を示す部分斜視図であり、上部フレームを開いた状態を示す。
【図１６】図１４のＣ−Ｃ矢視線断面図である。
【図１７】図１５のＤ−Ｄ矢視線断面図である。
【図１８】特許文献１に関する額縁の断面図である。
【符号の説明】
【００３７】
２…コーナー継手
２ｂ…凹部
３…額縁フレーム
４…上部フレーム
５…下部フレーム
６…裏板
７…透明板
８…絵画
１１…ベース部
１２…延長片
１３…立上片
１４…挟持片
１５…内周係止縁
１６…外周係止縁
１７…連続溝
１８…ストッパピース
１８ａ…側面
１８ｂ…フランジ部
１８ｃ…上方段部
１８ｄ…下方段部
１９…回動案内片
２０…係止突起
２１…先端膨出部
２２…保持片
２３…折曲側部
２４…回動片
２５…ストッパ係止片
２６…屈曲片
２８…被せ部材
２８ｂ…凹部
２９…突起
３０…継手片
３０ａ…貫通孔
３１…リベット
３２…補強板
３２ａ…貫通穴
３３…凹溝
３４…垂下片
３４ａ…係止凸部
３５…凹部
【図１】
2005168945.tif 000003
【図２】
2005168945.tif 000004
【図３】
2005168945.tif 000005
【図４】
2005168945.tif 000006
【図５】
2005168945.tif 000007
【図６】
2005168945.tif 000008
【図７】
2005168945.tif 000009
【図８】
2005168945.tif 000010
【図９】
2005168945.tif 000011
【図１０】
2005168945.tif 000012
【図１１】
2005168945.tif 000013
【図１２】
2005168945.tif 000014
【図１３】
2005168945.tif 000015
【図１４】
2005168945.tif 000016
【図１５】
2005168945.tif 000017
【図１６】
2005168945.tif 000018
【図１７】
2005168945.tif 000019
【図１８】
2005168945.tif 000020